(57)【要約】【課題】全てのログデータを記憶部のメモリ容量を増加することなく保存することができる画像サーバを提供することを目的とする。【解決手段】ネットワーク３を介したクライント端末１からの要求により画像データを送信可能な画像サーバ２であって、カメラ４からの画像信号を所定の画像データに変換する画像処理部５と、ネットワークを介してクライアント端末１へ送信する複数の画面情報を記憶する第１の記憶部と、クライアント端末１から送信されるログ設定条件を記憶する第２の記憶部と、第２の記憶部に記憶したログ設定条件に従ってログデータの記憶及び出力を行い、又、クライアント端末１からアクセスがあったときには、第１の記憶部から画面情報をクライアント端末１へ送信する制御部７とを有する。【選択図】　図１
2004048237.tif 000002
【特許請求の範囲】
【請求項１】
ネットワークを介したクライント端末からの要求により画像データを送信可能な画像サーバであって、
カメラからの画像信号を所定の画像データに変換する画像処理部と、
ネットワークを介して前記クライアント端末へ送信する複数の画面情報を記憶する第１の記憶部と、
前記クライアント端末から送信されるログ設定条件を記憶する第２の記憶部と、
前記第２の記憶部に記憶したログ設定条件に従ってログデータの記憶及び出力を行い、又前記クライアント端末からアクセスがあったときには、前記第１の記憶部から画面情報を前記クライアント端末へ送信する制御部と
を有することを特徴とする画像サーバ。
【請求項２】
前記制御部は、ユーザからのアクセスの有無を確認するアクセス確認手段を有し、該アクセス確認手段によりユーザからアクセスがあったと判定した場合には、そのアクセス情報をログデータとして記憶することを特徴とする請求項１に記載の画像サーバ。
【請求項３】
前記制御部は、更に、ユーザからのアクセスにおいて要求された動作が制限・禁止動作か否かを判定する制限禁止判定手段を有し、該制限禁止判定手段により要求された動作が制限・禁止動作でないと判定した場合には、要求された動作をログデータとして記憶することを特徴とする請求項２に記載の画像サーバ。
【請求項４】
前記制御部は、更に所定時刻への到達や所定の警告などの所定の動作の有無を確認する動作確認手段を有し、該動作確認手段により動作したことを確認した場合には、ログデータとして記憶することを特徴とする請求項２に記載の画像サーバ。
【請求項５】
カメラからの画像信号をネットワークの通信レートに適合する画像データに変換する画像処理部と前記画像処理部からの画像データの送信やネットワークからの制御データの受信を行うサーバと全体を制御する制御部とを有する画像サーバと、ネットワークを介して前記画像サーバに接続されるクライアント端末とを有する画像サーバシステムであって、
前記クライアント端末は、前記画像サーバと通信を行うためのブラウザを立ち上げるブラウザ立上げ手段と、前記画像サーバのアドレスを入力する入力手段と、前記画像サーバからのメニュー画面や前記画像サーバでログデータを収集する条件であるログ条件を設定するログ設定画面を表示する表示手段とを有し、
前記制御部は、前記クライアント端末に前記メニュー画面や前記ログ設定画面を送信する送信判定手段と、前記設定したログ条件を記憶する記憶手段とを有することを特徴とする画像サーバシステム。
【請求項６】
前記制御部は、所定時刻への到達や所定の警告などの所定の動作の有無を確認する動作確認手段と、ユーザからのアクセスの有無を確認するアクセス確認手段と、所定の動作が無くユーザからのアクセスがあった場合に前記アクセスにおいて要求された動作が制限・禁止動作か否かを判定する制限禁止判定手段と、前記所定の動作があった場合または前記要求された動作が制限・禁止動作でない場合には所定の制御動作を行う制御動作手段と、前記要求された動作が禁止動作の場合には警告メールを前記クライアント端末へ送信するメール送信手段と、前記ログ条件に応じて前記ログデータを前記クライアント端末へ送信するログ出力手段とを有することを特徴とする請求項５に記載の画像サーバシステム。
【発明の詳細な説明】
【０００１】
【発明の属する技術分野】
本発明は、カメラからの画像信号をネットワークの通信レートに適合する画像データに変換する画像処理部と画像処理部からの画像データの送信やネットワークからの制御データの受信を行うサーバと全体を制御する制御部とを有する画像サーバおよびその画像サーバとネットワークを介して画像サーバに接続されるクライアント端末とを有する画像サーバシステムに関するものである。
【０００２】
【従来の技術】
図１は、一般的な画像サーバシステムを示すブロック図である。
【０００３】
図１において、１は操作や制御を行うための端末装置としてのクライアント端末、２は画像データの送信や制御データの受信を行う画像サーバとしての画像サーバ、３はクライアント端末１と画像サーバ２とが接続されたネットワーク、４は被写体を撮像して生成したアナログ画像信号を出力するカメラ、５はカメラ４からのアナログ画像信号をネットワーク３の通信レートに適合したデジタル画像データに圧縮可能な画像処理部、６は画像処理部５からのデジタル画像データをネットワーク３へ送信したり、クライアント端末１からの制御データを受信する通信制御装置としてのサーバ、７は全体を制御する制御部、８はログデータをファイル化したログファイルや制御に必要なデータを格納する記憶部、９は計時を行うタイマ、１０は人間や動物を検知する赤外線センサを含み、異常を検知したときに制御部７に通知する異常検知器である。
【０００４】
このように構成された画像サーバシステムにおける従来の動作について説明する。
【０００５】
従来、制御部７は、カメラ４からの位置データ、姿勢データや画像処理部５からの画像データなどを取り込み、これらのデータをログファイルとして記憶部８に記憶していた。この場合、記憶しているデータ量が記憶部８のメモリ容量を越えそうになると、記憶しているデータを消去するか、または新しいデータを、古いデータを消去して上書きしていた。
【０００６】
【発明が解決しようとする課題】
このように、従来の画像サーバシステムでは、記憶しているデータ量が記憶部８のメモリ容量を越えそうになると、記憶しているデータを消去するか、または新しいデータを古いデータを消去して上書きしており、古いデータが残らないという問題点を有していた。
【０００７】
この画像サーバシステム及び画像サーバでは、全ての履歴データ（ログデータ）を記憶部のメモリ容量を増加することなく保存することが要求されている。
【０００８】
本発明は、この要求を満たすため、全てのログデータを記憶部のメモリ容量を増加することなく保存することができる画像サーバおよび全てのログデータを記憶部のメモリ容量を増加することなく保存することができる画像サーバシステムを提供することを目的とする。
【０００９】
【課題を解決するための手段】
上記課題を解決するために本発明の画像サーバは、ネットワークを介したクライント端末からの要求により画像データを送信可能な画像サーバであって、カメラからの画像信号を所定の画像データに変換する画像処理部と、ネットワークを介してクライアント端末へ送信する複数の画面情報を記憶する第１の記憶部と、クライアント端末から送信されるログ設定条件を記憶する第２の記憶部と、第２の記憶部に記憶したログ設定条件に従ってログデータの記憶及び出力を行い、又クライアント端末からアクセスがあったときには、第１の記憶部から画面情報をクライアント端末へ送信する制御部とを有する構成を備えている。
【００１０】
これにより、全てのログデータを記憶部のメモリ容量を増加することなく保存することができる画像サーバが得られる。
【００１１】
上記課題を解決するために本発明の画像サーバシステムは、カメラからの画像信号をネットワークの通信レートに適合する画像データに変換する画像処理部と画像処理部からの画像データの送信やネットワークからの制御データの受信を行うサーバと全体を制御する制御部とを有する画像サーバと、ネットワークを介して画像サーバに接続されるクライアント端末とを有する画像サーバシステムであって、クライアント端末は、画像サーバと通信を行うためのブラウザを立ち上げるブラウザ立上げ手段と、画像サーバのアドレスを入力する入力手段と、画像サーバからのメニュー画面や画像サーバでログデータを収集する条件であるログ条件を設定するログ設定画面を表示する表示手段とを有し、制御部は、クライアント端末にメニュー画面やログ設定画面を送信する送信判定手段と、設定したログ条件を記憶する記憶手段とを有する構成を備えている。
【００１２】
これにより、全てのログデータを記憶部のメモリ容量を増加することなく保存することができる画像サーバシステムが得られる。
【００１３】
【発明の実施の形態】
本発明の請求項１に記載の画像サーバは、ネットワークを介したクライント端末からの要求により画像データを送信可能な画像サーバであって、カメラからの画像信号を所定の画像データに変換する画像処理部と、ネットワークを介してクライアント端末へ送信する複数の画面情報を記憶する第１の記憶部と、クライアント端末から送信されるログ設定条件を記憶する第２の記憶部と、第２の記憶部に記憶したログ設定条件に従ってログデータの記憶及び出力を行い、又クライアント端末からアクセスがあったときには、第１の記憶部から画面情報をクライアント端末へ送信する制御部とを有することとしたものである。
【００１４】
この構成により、画像サーバで収集した全てのログデータをクライアント端末へ送信することができ、記憶部のメモリ容量を増加することなく全てのログデータを保存することができ、更に、ログ設定条件に従って所定のログデータのみを記憶および出力することもできるため、全てのデータが必要ではない該画像サーバの管理者等に自由度を与え、更に該サーバから出力されるデータも少なくて済むため、ログ管理も容易となるという作用を有する。
【００１５】
請求項２に記載の画像サーバは、請求項１に記載の画像サーバにおいて、制御部は、ユーザからのアクセスの有無を確認するアクセス確認手段を有し、該アクセス確認手段によりユーザからアクセスがあったと判定した場合には、そのアクセス情報をログデータとして記憶することとしたものである。
【００１６】
この構成により、ユーザからのアクセスがあった場合に、そのアクセスした情報（アクセス時刻、ＩＰアドレス、制御要求内容、要求撮影位置座標等のユーザ要求に関するログ）を記憶できるので、どのようなアクセスがあったかをこのログを見ることで確認することができるという作用を有する。
【００１７】
請求項３に記載の画像サーバは、請求項２に記載の画像サーバにおいて、制御部は、更に、ユーザからのアクセスにおいて要求された動作が制限・禁止動作か否かを判定する制限禁止判定手段を有し、該制限禁止判定手段により要求された動作が制限・禁止動作でないと判定した場合には、要求された動作をログデータとして記憶することとしたものである。
【００１８】
この構成により、ユーザからアクセスされた情報とは別に、実際の動作ログを記憶することができるので、禁止されていないアクセスであるのに動作しないような故障状態を容易に発見することができるという作用を有する。
【００１９】
請求項４に記載の画像サーバは、請求項２に記載の画像サーバにおいて、制御部は、更に所定時刻への到達や所定の警告などの所定の動作の有無を確認する動作確認手段を有し、該動作確認手段により動作したことを確認した場合には、ログデータとして記憶することとしたものである。
【００２０】
この構成により、予め予定された動作が実際に動作したかを容易に確認することができ、故障や画像サーバ自体のソフトバグなども容易に発見することが可能となるという作用を有する。
【００２１】
請求項５に記載の画像サーバシステムは、カメラからの画像信号をネットワークの通信レートに適合する画像データに変換する画像処理部と画像処理部からの画像データの送信やネットワークからの制御データの受信を行うサーバと全体を制御する制御部とを有する画像サーバと、ネットワークを介して画像サーバに接続されるクライアント端末とを有する画像サーバシステムであって、クライアント端末は、画像サーバと通信を行うためのブラウザを立ち上げるブラウザ立上げ手段と、画像サーバのアドレスを入力する入力手段と、画像サーバからのメニュー画面や画像サーバでログデータを収集する条件であるログ条件を設定するログ設定画面を表示する表示手段とを有し、制御部は、クライアント端末にメニュー画面やログ設定画面を送信する送信判定手段と、設定したログ条件を記憶する記憶手段とを有することとしたものである。
【００２２】
この構成により、設定したログ条件（例えば送信するデータ量やデータ内容）に基づいて画像サーバからクライアント端末へログデータを送信することができるので、画像サーバで収集した全てのログデータをクライアント端末へ送信することができ、記憶部のメモリ容量を増加することなく全てのログデータを保存することができるという作用を有する。
【００２３】
請求項６に記載の画像サーバシステムは、請求項５に記載の画像サーバシステムにおいて、制御部は、所定時刻への到達や所定の警告などの所定の動作の有無を確認する動作確認手段と、ユーザからのアクセスの有無を確認するアクセス確認手段と、所定の動作が無くユーザからのアクセスがあった場合にアクセスにおいて要求された動作が制限・禁止動作か否かを判定する制限禁止判定手段と、所定の動作があった場合または要求された動作が制限・禁止動作でない場合には所定の制御動作を行う制御動作手段と、要求された動作が禁止動作の場合には警告メールをクライアント端末へ送信するメール送信手段と、ログ条件に応じてログデータをクライアント端末へ送信するログ出力手段とを有することとしたものである。
【００２４】
この構成により、ログ条件に適合したとき（例えば設定時刻に達した時もしくは設定時間が経過したとき、あるいはデータ量が所定量になったとき）ログデータをクライアント端末へ送信することができるので、送信したデータについては記憶部に保存する必要がなくなり、記憶部のメモリ容量を増加することなく全てのログデータを保存することができるという作用を有する。
【００２５】
以下、本発明の実施の形態について、図１〜図１１を用いて説明する。
【００２６】
（実施の形態１）
本発明の実施の形態１による画像サーバシステムは従来と同様、図１に示す構成である。本実施の形態では、クライアント端末１および制御部７の動作が従来とは異なる。
【００２７】
また、図２は本発明の実施の形態１による画像サーバシステムを構成するクライアント端末１における機能実現手段を示す機能ブロック図であり、図３は本発明の実施の形態１による画像サーバシステムを構成する画像サーバ２の制御部７における機能実現手段を示す機能ブロック図である。
【００２８】
図２において、１１は画像サーバ２と通信を行うためのブラウザを立ち上げるブラウザ立上げ手段、１２は画像サーバ２のアドレスを入力する入力手段、１３は画像サーバ２からのメニュー画面や画像サーバ２にログデータを収集する条件であるログ条件を設定するログ設定画面を表示する表示手段、１４は画面を選択する選択手段、１５はデータを入力するデータ入力手段、１６は条件を入力する条件入力手段である。また、図３において、７１はクライアント端末１にメニュー画面やログ設定画面を送信する送信判定手段、７２は設定画面ボタンが押下されたか否かを確認するボタン確認手段、７３は認証設定がされているか否かを確認する認証設定確認手段、７４は認証が有効か否かを判定する認証確認手段、７５は記憶部８に記憶するための記憶手段である。
【００２９】
このように構成された画像サーバシステムについて、ログ条件設定動作を図４、図７〜図１０を用いて説明する。図４はクライアント端末１および制御部７の動作を示すフローチャートであり、図７はメニュー画面を示す画面図、図８は認証画面を示す画面図、図９は設定画面を示す画面図、図１０はログ設定画面を示す画面図である。
【００３０】
図４において、まず、クライアント端末１の電源をオンすると、ブラウザ立上げ手段１１は、画像サーバ２と通信を行うためのブラウザ（たとえばＩｎｔｅｒｎｅｔ　Ｅｘｐｌｏｒｅｒ）を立ち上げる（Ｓ１）。次に、入力手段１２を介して画像サーバのアドレスが入力されると（Ｓ２）、クライアント端末１は画像サーバ２にアクセスする。画像サーバ２の制御部７の送信判定手段７１はクライアント端末１にメニュー画面を送信するか否かを判定する（Ｓ３）。ステップＳ２で入力されたアドレスが適正であればメニュー画面（Ｗｅｂページデータ）を送信し、適正でなければクライアント端末１へは何も送らない（Ｓ４）。ステップＳ３でメニュー画面が送信されると、表示手段１３は、画像サーバ２からのメニュー画面をブラウザに表示する（Ｓ５）。図７にメニュー画面を示す。このメニュー画面において「３．設定画面」が選択手段１４を介して選択されると（Ｓ６）、設定画面の要求が画像サーバ２へ送信される。設定画面の要求を受信した制御部７のボタン確認手段７２は、設定画面ボタンが押下されたか否かを判定し（Ｓ７）、押下されなかったと判定した場合にはクライアント端末１へ設定画面以外の画面を送信する（Ｓ８）。ステップＳ７で設定画面ボタンが押下されたと判定したときは次に認証設定確認手段７３は、認証が設定されているか否かを判定し（Ｓ９）、認証が設定されている場合にはクライアント端末１へ認証画面を送信する。認証画面を受信すると、表示手段１３は、認証画面をブラウザに表示する（Ｓ１０）。図８に認証画面を示す。
【００３１】
次に、認証画面にデータ入力手段１５を介してＩＤ、パスワードを入力する（Ｓ１１）。入力されたＩＤ、パスワードが画像サーバ２へ転送されると、認証確認手段７４は、認証が正当か否かを判定し（Ｓ１２）、認証が正当でないと判定したときはステップＳ１０に戻る。ステップＳ９で認証が設定されていないと判定した場合、またはステップＳ１２で認証が正当であると判定した場合には、認証確認手段７４は設定画面をクライアント端末１へ送信する。設定画面を受信したクライアント端末１の表示手段１３は、その設定画面を表示する（Ｓ１３）。図９に設定画面を示す。図９の設定画面において、選択手段１４を介して、ログの設定を選択すると（Ｓ１４）、ログ設定画面の要求が画像サーバ２へ送信される。ログ設定画面の要求を受信すると、画像サーバ２の制御部７の送信判定手段７１は、ログ設定画面を送信するか否かを判定する（Ｓ１５）。このとき送信判定手段７１は、ログ設定画面ボタンが押下されたか否かを判定し、押下されなかったと判定した場合にはクライアント端末１へログ設定画面以外の画面を送信する（Ｓ１６）。ステップＳ１５でログ設定画面ボタンが押下されたと判定したときは送信判定手段７１はクライアント端末１へログ設定画面（Ｗｅｂページデータ）を送信する。
【００３２】
ログ設定画面を受信すると、表示手段１３は、ログ設定画面をブラウザに表示する（Ｓ１７）。図１０にログ設定画面を示す。次に条件入力手段１６は、ログ設定画面において、登録ボタンが押下されたか又はキャンセルボタンが押下されたか（登録がクリックされたか又はキャンセルがクリックされたか）を判定し（Ｓ１８）、キャンセルボタンが押下されたと判定したときはステップＳ１３に戻る。登録ボタンが押下されたと判定したときは条件入力手段１６は設定したログ設定条件を画像サーバ２へ送信する。ログ設定条件を受信すると、記憶手段７５は、そのログ設定条件を記憶部８に記憶させる（Ｓ１９）。これにより画像サーバ２の動作が設定されたことになる。ログ設定条件が記憶部８に記憶されると、登録完了がクライアント端末１へ通知され、表示手段１４は登録完了を表示する（Ｓ２０）。
【００３３】
以上のように、クライアント端末１から画像サーバ２に対してログ条件を設定することが可能であり、▲１▼ユーザ要求ログ条件、▲２▼画像サーバ動作ログ条件等が設定できる。
【００３４】
ユーザ要求ログとは、クライアント端末１のユーザが画像サーバにアクセスした情報、例えば、アクセスしたクライアント端末のアドレス、クライアント端末がアクセスした時刻、クライアント端末が要求した操作内容（カメラのパンチルト、ズーム等）、クライアント端末が要求した撮像位置の座標等であり、これらを各々ログとして記憶するのか否かを□にチェックすることによりログ条件として設定される。
【００３５】
また、画像サーバ動作ログとは、画像サーバが動作した情報、例えば、パンチルト動作、ズーム動作、タイマー動作等の動作開始時刻や、その動作内容等であり、ユーザ要求ログの場合と同様に、□にチェックすることによりログ条件として設定される。
【００３６】
なお、図１０のログ設定画面において、入力により、ログファイルの出力、即ちクライアント端末への送信を、どのような時間間隔で、又どのような方法（電子メールか、ＦＴＰ転送か）を設定することができ、更に、クライアント端末のユーザからのアクセスの制限（時間制限、パンチルト等の制限動作等）を設定することができる。また、管理者にしか許されていない禁止動作（例えば、本ログ設定をするための要求や管理者の認証）を管理者以外のクライアント端末が行った場合に、その旨を伝えるためのメールあて先を設定（警告メール設定）することも可能である。
【００３７】
なお、図７のメニュー画面においてシングル画面がクリックされると、図１１に示すような画面が表示される。図１１は通常の動作（クライアント端末にカメラで撮像した画像データを逐次送信するようにしたＷｅｂページ（画面データ）。このページでパン、チルトや明るさ、撮影解像度の調整）を示す画面図である。図１１において、右上の画面には、画像サーバ２から送られてくる画像データが表示される。
【００３８】
次に、ログ設定条件登録後の動作について説明する。
【００３９】
図５は、ログ設定条件登録後の動作を行う制御部７の機能実現手段を示す機能ブロック図である。
【００４０】
図５において、７６は所定時刻への到達や所定の警告などの所定の動作の有無を確認する動作確認手段、７７はユーザからのアクセスの有無を確認するアクセス確認手段、７８は所定の動作が無くユーザからのアクセスがあった場合にアクセスにおいて要求された動作が制限動作や禁止動作ログの設定画面で設定された制限・禁止動作か否かを判定する制限禁止判定手段、７９は所定の動作があった場合または要求された動作が制限動作や禁止動作でない場合には所定の制御動作を行う制御動作手段、８０は要求された動作が禁止動作の場合には警告メールを所定のメールサーバ（ログの設定画面で設定されたＳＴＭＰサーバ）へ送信するメール送信手段、８１はログデータを出力をするか否か確認するログ出力確認手段、８２はログ条件に応じてログデータを所定のクライアント（ログの設定画面で設定されたログファイル転送先）へ送信するログ出力手段である。
【００４１】
このように構成された画像サーバ２の制御部７について、その動作（ログ設定条件登録後の動作）を図１、図６を用いて説明する。図６は、ログ設定条件登録後の制御部７の動作を示すフローチャートを示す。
【００４２】
図６において、電源がオンされると、動作確認手段７６は、タイマ９が所定時刻になったことを通知したか否かを判定し、また異常検知器１０が異常を通知したか否かを判定し（Ｓ２１）、所定時刻および異常の通知がないと判定したときは次にアクセス確認手段７７は、ユーザからのアクセスの有無を確認し（Ｓ２２）、ユーザからのアクセスが有ったと判定した場合、第１のログ記憶を行う。第１のログ記憶とは、アクセス時刻、ＩＰアドレス、制御要求内容、要求撮影位置座標等のユーザ要求に関するログ記憶である。次に、制限禁止判定手段７８は、図４において設定されたログ条件に基づく動作が制限動作または禁止動作か否かを判定する（Ｓ２３）。ステップＳ２１で所定時刻または異常の通知が有った場合、またはステップＳ２３で制限動作や禁止動作でないと判定した場合、制御動作手段７９は、制御動作としての第２のログ記憶を行う（Ｓ２４）。第２のログ記憶とは、動作開始時刻、タイマ９や異常検知器１９の動作、制御要求動作、カメラ撮影位置座標等のカメラ動作に関するログの記憶である。次に、ログ出力確認手段８１は、ログ設定条件に合致しているか否かを判定し（Ｓ２７）、ログ設定条件に合致している場合にはログ出力手段８２はログデータをログファイルとしてクライアント端末１へ送信する（Ｓ２８）。ログ設定条件とはログファイル転送の送信間隔である。ログ設定条件に合致していない場合はステップＳ２１に戻る。
【００４３】
ステップＳ２３で制限動作または禁止動作であると判定した場合、制御禁止判定手段７８は、制限動作か禁止動作かを判別し（Ｓ２５）、制限動作の場合にはステップＳ２７に移行する。制限動作とは時間的な制限動作やカメラ操作の制限動作などがある。ステップＳ２５で禁止動作であると判定した場合、メール送信手段８０は、警告メールをクライアント端末１へ送信すると共に、第３のログ記憶を行う（Ｓ２６）。第３のログ記憶とは、警告メールを送信したことなどの記憶である。警告メールにおける警告とは、管理者の認証データ（ＩＤやパスワード）が使用されたときの警告などである。
【００４４】
以上のように本実施の形態によれば、カメラ４からの画像信号を所定の画像データに変換する画像処理部５と、ネットワーク３を介してクライアント端末１へ送信する複数の画面情報を記憶する第１の記憶部８と、クライアント端末１から送信されるログ設定条件を記憶する第２の記憶部８と、第２の記憶部８に記憶したログ設定条件に従ってログデータの記憶及び出力を行い、又クライアント端末１からアクセスがあったときには、第１の記憶部８から画面情報をクライアント端末１へ送信する制御部７とを有することにより、画像サーバ２で収集した全てのログデータをクライアント端末１へ送信することができ、記憶部８のメモリ容量を増加することなく全てのログデータを保存することができ、更に、ログ設定条件に従って所定のログデータのみを記憶および出力することもできるため、全てのデータが必要ではない画像サーバ２の管理者等に自由度を与え、更に画像サーバ２から出力されるデータも少なくて済むため、ログ管理も容易となる。
【００４５】
また、制御部７は、ユーザからのアクセスの有無を確認するアクセス確認手段７７を有し、アクセス確認手段７７によりユーザからアクセスがあったと判定した場合には、そのアクセス情報をログデータとして記憶することにより、ユーザからのアクセスがあった場合に、そのアクセスした情報（アクセス時刻、ＩＰアドレス、制御要求内容、要求撮影位置座標等のユーザ要求に関するログ）を記憶できるので、どのようなアクセスがあったかをこのログを見ることで確認することができる。
【００４６】
さらに、制御部７は、更に、ユーザからのアクセスにおいて要求された動作が制限・禁止動作か否かを判定する制限禁止判定手段７８を有し、制限禁止判定手段７８により要求された動作が制限・禁止動作でないと判定した場合には、要求された動作をログデータとして記憶することにより、ユーザからアクセスされた情報とは別に、実際の動作ログを記憶することができるので、禁止されていないアクセスであるのに動作しないような故障状態を容易に発見することができる。
【００４７】
さらに、制御部７は、更に所定時刻への到達や所定の警告などの所定の動作の有無を確認する動作確認手段７６を有し、動作確認手段７６により動作したことを確認した場合には、ログデータとして記憶することにより、予め予定された動作が実際に動作したかを容易に確認することができ、故障や画像サーバ２自体のソフトバグなども容易に発見することが可能となる。
【００４８】
さらに、クライアント端末１は、画像サーバ２と通信を行うためのブラウザを立ち上げるブラウザ立上げ手段１１と、画像サーバ２のアドレスを入力する入力手段１２と、画像サーバ２からのメニュー画面や画像サーバ２でログデータを収集する条件であるログ条件を設定するログ設定画面を表示する表示手段１３とを有し、制御部７は、クライアント端末１にメニュー画面やログ設定画面を送信する送信判定手段７１と、設定したログ条件を記憶する記憶手段７５とを有することにより、設定したログ条件（例えば送信するデータ量やデータ内容）に基づいて画像サーバ２からクライアント端末１へログデータを送信することができるので、画像サーバ２で収集した全てのログデータをクライアント端末へ送信することができ、記憶部８のメモリ容量を増加することなく全てのログデータを保存することができる。
【００４９】
さらに、制御部７は、所定時刻への到達や所定の警告などの所定の動作の有無を確認する動作確認手段７６と、ユーザからのアクセスの有無を確認するアクセス確認手段７７と、所定の動作が無くユーザからのアクセスがあった場合にアクセスにおいて要求された動作が制限・禁止動作か否かを判定する制限禁止判定手段７８と、所定の動作があった場合または要求された動作が制限・禁止動作でない場合には所定の制御動作を行う制御動作手段７９と、要求された動作が禁止動作の場合には警告メールをクライアント端末へ送信するメール送信手段８０と、ログ条件に応じてログデータをクライアント端末へ送信するログ出力手段８２とを有することにより、ログ条件に適合したとき（例えば設定時刻に達した時もしくは設定時間が経過したとき、あるいはデータ量が所定量になったとき）ログデータをクライアント端末１へ送信することができるので、送信したデータについては記憶部８に保存する必要がなくなり、記憶部８のメモリ容量を増加することなく全てのログデータを保存することができる。
【００５０】
【発明の効果】
以上説明したように本発明の請求項１に記載の画像サーバによれば、ネットワークを介したクライント端末からの要求により画像データを送信可能な画像サーバであって、カメラからの画像信号を所定の画像データに変換する画像処理部と、ネットワークを介してクライアント端末へ送信する複数の画面情報を記憶する第１の記憶部と、クライアント端末から送信されるログ設定条件を記憶する第２の記憶部と、第２の記憶部に記憶したログ設定条件に従ってログデータの記憶及び出力を行い、又クライアント端末からアクセスがあったときには、第１の記憶部から画面情報をクライアント端末へ送信する制御部とを有することにより、画像サーバで収集した全てのログデータをクライアント端末へ送信することができ、記憶部のメモリ容量を増加することなく全てのログデータを保存することができ、更に、ログ設定条件に従って所定のログデータのみを記憶および出力することもできるため、全てのデータが必要ではない該画像サーバの管理者等に自由度を与え、更に該サーバから出力されるデータも少なくて済むため、ログ管理も容易となるという有利な効果が得られる。
【００５１】
請求項２に記載の画像サーバによれば、請求項１に記載の画像サーバにおいて、制御部は、ユーザからのアクセスの有無を確認するアクセス確認手段を有し、該アクセス確認手段によりユーザからアクセスがあったと判定した場合には、そのアクセス情報をログデータとして記憶することにより、ユーザからのアクセスがあった場合に、そのアクセスした情報（アクセス時刻、ＩＰアドレス、制御要求内容、要求撮影位置座標等のユーザ要求に関するログ）を記憶できるので、どのようなアクセスがあったかをこのログを見ることで確認することができるという有利な効果が得られる。
【００５２】
請求項３に記載の画像サーバによれば、請求項２に記載の画像サーバにおいて、制御部は、更に、ユーザからのアクセスにおいて要求された動作が制限・禁止動作か否かを判定する制限禁止判定手段を有し、該制限禁止判定手段により要求された動作が制限・禁止動作でないと判定した場合には、要求された動作をログデータとして記憶することにより、ユーザからアクセスされた情報とは別に、実際の動作ログを記憶することができるので、禁止されていないアクセスであるのに動作しないような故障状態を容易に発見することができるという有利な効果が得られる。
【００５３】
請求項４に記載の画像サーバによれば、請求項２に記載の画像サーバにおいて、制御部は、更に所定時刻への到達や所定の警告などの所定の動作の有無を確認する動作確認手段を有し、該動作確認手段により動作したことを確認した場合には、ログデータとして記憶することにより、予め予定された動作が実際に動作したかを容易に確認することができ、故障や画像サーバ自体のソフトバグなども容易に発見することが可能となるという有利な効果が得られる。
【００５４】
請求項５に記載の画像サーバシステムによれば、カメラからの画像信号をネットワークの通信レートに適合する画像データに変換する画像処理部と画像処理部からの画像データの送信やネットワークからの制御データの受信を行うサーバと全体を制御する制御部とを有する画像サーバと、ネットワークを介して画像サーバに接続されるクライアント端末とを有する画像サーバシステムであって、クライアント端末は、画像サーバと通信を行うためのブラウザを立ち上げるブラウザ立上げ手段と、画像サーバのアドレスを入力する入力手段と、画像サーバからのメニュー画面や画像サーバでログデータを収集する条件であるログ条件を設定するログ設定画面を表示する表示手段とを有し、制御部は、クライアント端末にメニュー画面やログ設定画面を送信する送信判定手段と、設定したログ条件を記憶する記憶手段とを有することにより、設定したログ条件（例えば送信するデータ量やデータ内容）に基づいて画像サーバからクライアント端末へログデータを送信することができるので、画像サーバで収集した全てのログデータをクライアント端末へ送信することができ、記憶部のメモリ容量を増加することなく全てのログデータを保存することができるという有利な効果が得られる。
【００５５】
請求項６に記載の画像サーバシステムによれば、請求項５に記載の画像サーバシステムにおいて、制御部は、所定時刻への到達や所定の警告などの所定の動作の有無を確認する動作確認手段と、ユーザからのアクセスの有無を確認するアクセス確認手段と、所定の動作が無くユーザからのアクセスがあった場合にアクセスにおいて要求された動作が制限・禁止動作か否かを判定する制限禁止判定手段と、所定の動作があった場合または要求された動作が制限・禁止動作でない場合には所定の制御動作を行う制御動作手段と、要求された動作が禁止動作の場合には警告メールをクライアント端末へ送信するメール送信手段と、ログ条件に応じてログデータをクライアント端末へ送信するログ出力手段とを有することにより、ログ条件に適合したとき（例えば設定時刻に達した時もしくは設定時間が経過したとき、あるいはデータ量が所定量になったとき）ログデータをクライアント端末へ送信することができるので、送信したデータについては記憶部に保存する必要がなくなり、記憶部のメモリ容量を増加することなく全てのログデータを保存することができるという有利な効果が得られる。
【図面の簡単な説明】
【図１】一般的な画像サーバシステムを示すブロック図
【図２】本発明の実施の形態１による画像サーバシステムを構成するクライアント端末における機能実現手段を示す機能ブロック図
【図３】本発明の実施の形態１による画像サーバシステムを構成する画像サーバの制御部における機能実現手段を示す機能ブロック図
【図４】クライアント端末および制御部の動作を示すフローチャート
【図５】ログ設定条件登録後の動作を行う制御部の機能実現手段を示す機能ブロック図
【図６】ログ設定条件登録後の制御部の動作を示すフローチャート
【図７】メニュー画面を示す画面図
【図８】認証画面を示す画面図
【図９】設定画面を示す画面図
【図１０】ログ設定画面を示す画面図
【図１１】通常の動作を示す画面図
【符号の説明】
１　クライアント端末
２　画像サーバ
３　ネットワーク
４　カメラ
５　画像処理部
６　サーバ
７　制御部
８　記憶部
９　タイマ
１０　異常検知器
１１　ブラウザ立上げ手段
１２　入力手段
１３　表示手段
１４　選択手段
１５　データ入力手段
１６　条件入力手段
７１　送信判定手段
７２　ボタン確認手段
７３　認証設定確認手段
７４　認証確認手段
７５　記憶手段
７６　動作確認手段
７７　アクセス確認手段
７８　制限禁止判定手段
７９　制御動作手段
８０　メール送信手段
８１　ログ出力確認手段
８２　ログ出力手段
【図１】
2004048237.tif 000003
【図２】
2004048237.tif 000004
【図３】
2004048237.tif 000005
【図４】
2004048237.tif 000006
【図５】
2004048237.tif 000007
【図６】
2004048237.tif 000008
【図７】
2004048237.tif 000009
【図８】
2004048237.tif 000010
【図９】
2004048237.tif 000011
【図１０】
2004048237.tif 000012
【図１１】
2004048237.tif 000013